(57)【要約】      （修正有）【課題】導電性部材で形成された外装ケースによる無給電素子への影響を低減させることで、アンテナ性能を向上させ、電波の受信感度を向上させるアンテナ内蔵式電子時計を提供する。【解決手段】少なくとも一部が導電性部材で形成された筒状の外装ケース８０と、透明なカバーガラス８４と、外装ケース８０に収納されたダイヤル板１１と、ダイヤル板１１の周囲に配置された環状のアンテナ体４０と、アンテナ体４０に給電する給電部４０２と、アンテナ体４０を覆う非導電性部材のダイヤルリング８３とを備え、アンテナ体４０は誘電体のから形成された環状の基材４０１と、給電部４０２で給電される円弧状の給電素子４１０とを有しており、環状の無給電素子４２０をダイヤルリング８３とカバーガラス８４との間に配置して円偏波を受信する。【選択図】図３
2014163666.tif 000002
【特許請求の範囲】
【請求項１】
少なくとも一部が導電性部材で形成された筒状の外装ケースと、前記外装ケースの２つの開口のうち一方を覆うカバー部材と、前記外装ケースに収納された時刻表示部分と、前記時刻表示部分の周囲に配置された環状のアンテナ体と、前記アンテナ体に給電する給電部と、前記アンテナ体を覆う非導電性部材のリング部材とを備え、
前記アンテナ体は誘電体から形成された環状の基材と、前記給電部で給電される円弧状の給電素子とを有しており、
環状の無給電素子を前記リング部材と前記カバー部材との間に配置して円偏波を受信することを特徴とするアンテナ内蔵式電子時計。
【請求項２】
前記アンテナ体と前記無給電素子は平面的に重なるように配置されていることを特徴とする請求項１に記載のアンテナ内蔵式電子時計。
【請求項３】
前記無給電素子は前記リング部材の前記カバー部材側の面に設けられていることを特徴とする請求項２に記載のアンテナ内蔵式電子時計。
【請求項４】
前記無給電素子は環状の部材に固着されており、前記環状の部材が前記リング部材の前記カバー部材側の面に設けられていることを特徴とする請求項２に記載のアンテナ内蔵式電子時計。
【請求項５】
前記給電素子は、前記アンテナ体の前記カバー部材側の面に設けられていることを特徴とする請求項１乃至４のうちいずれか１項に記載のアンテナ内蔵式電子時計。
【請求項６】
前記カバー部材には、外部から前記無給電素子が視認されないようにする環状の目隠し部材が設けられていることを特徴とする請求項１乃至５のうちいずれか１項に記載のアンテナ内蔵式電子時計。
【請求項７】
前記無給電素子の前記カバー部材側の面には、前記無給電素子が視認されないようにする環状の目隠し部材が固着されていることを特徴とする請求項１乃至５のうちいずれか１項に記載のアンテナ内蔵式電子時計。
【請求項８】
導電性部材から形成された裏蓋をさらに備え、前記裏蓋は前記外装ケースに電気的に接続され、前記裏蓋と前記外装ケースが前記アンテナ体のグランドプレーンの機能を有することを特徴とする請求項１乃至７のうちいずれか１項に記載のアンテナ内蔵式電子時計。
【請求項９】
前記外装ケースは、前記カバー部材を固定する非導電性部材からなるベゼル部を備えることを特徴とする請求項１乃至８のうちいずれか１項に記載のアンテナ内蔵式電子時計。
【発明の詳細な説明】
【技術分野】
【０００１】
本発明は、アンテナを内蔵したアンテナ内蔵式電子時計に関する。
【背景技術】
【０００２】
近年、ＧＰＳ（Global Positioning System）衛星等の位置情報衛星からの電波を受信して、正確な時刻表示を行う電子時計が開発されている。このような電子時計は、位置情報衛星からの電波を受信するためのリング状のアンテナを備える（特許文献１又は特許文献２）。
【０００３】
特許文献１には、指針表示用のムーブメントと、ムーブメントを収容するケースと、ムーブメントの表面側を覆うカバー部材と、カバー部材とムーブメントとの間に配置されたグランド板と、グランド板とカバー部材との間にグランド板の外周に沿って配置されたリング状のアンテナとが開示され、良好な質感と良好なアンテナ性能とを同時に確保するようになっている。
【０００４】
また、特許文献２には、腕時計の筐体内に取り付けられ、円偏波を受信するＣ型形状のループ素子からなるリング状のアンテナが開示されており、アンテナは誘電体により波長短縮された無線電波の波長に対して略１波長分の周囲長に形成されている。このような特許文献２に開示された技術によれば、ＧＰＳの衛星信号受信用のループアンテナ（１波長＝１９ｃｍ）を腕時計の外装ケース内に収容するために波長短縮を行って、アンテナのサイズを小さくすることができる。
【０００５】
また、近年、ＧＰＳの円偏波を効率よく受信するために、回路に接続されない無給電素子を用いる技術がある。具体的には、無給電素子を給電されるアンテナ体の近傍に配置して、無給電素子をアンテナ体に電磁的に結合させることで共振周波数を下げてインピーダンス特性を改善する。これにより、例えばＧＰＳの衛星信号に共振周波数を合わせることにより、ＧＰＳ信号に対する受信性能を向上させることができる。
【先行技術文献】
【特許文献】
【０００６】
【特許文献１】特開２００９−１６８６５６号公報
【特許文献２】特許第３９８２９１８号
【発明の概要】
【発明が解決しようとする課題】
【０００７】
しかしながら、このような無給電素子を特許文献１及び２に開示されたリング状のアンテナに利用する場合、アンテナ体は導電性部材で形成されたケースの近傍に位置させているため、無給電素子についてもケースの近傍に位置させることとなる。その結果、無給電素子は、ケースの導電性部材の影響により、無給電素子のアンテナ性能が確保されず、電波の受信感度が低下してしまう問題がある。
【０００８】
本発明は、上述した事情に鑑みてなされたものであり、円偏波を受信するリングアンテナにおいて、少なくとも一部が導電性部材で形成された外装ケースから一定距離離れた位置に無給電素子を配置して、外装ケースによる無給電素子への影響を低減させることで、アンテナ性能を向上させ、電波の受信感度を向上させるアンテナ内蔵式電子時計を提供することを解決課題としている。
【課題を解決するための手段】
【０００９】
以上の課題を解決するため、本発明に係るアンテナ内蔵式電子時計は、
少なくとも一部が導電性部材で形成された筒状の外装ケースと、前記外装ケースの２つの開口のうち一方を覆うカバー部材と、前記外装ケースに収納された時刻表示部分と、前記時刻表示部分の周囲に配置された環状のアンテナ体と、前記アンテナ体に給電する給電部と、前記アンテナ体を覆う非導電性部材のリング部材とを備え、
前記アンテナ体は誘電体から形成された環状の基材と、前記給電部で給電される円弧状の給電素子とを有しており、
環状の無給電素子を前記リング部材と前記カバー部材との間に配置して円偏波を受信することを特徴とする。
【００１０】
このアンテナ内蔵式電子時計では、アンテナ体がループアンテナとして機能する。詳述するとアンテナ体は、円環状の一部を切り欠いた、いわゆるＣ型形状のループアンテナとなり、ループアンテナの始点及び終点となる給電点がＣ型形状の切欠部分に位置することとなる。そして、ループアンテナの始点から終点までの周囲長を約１波長とすることにより、半波長ダイポールアンテナ２本を、給電点を挟んで平行においた場合と同等の受信性能を維持することができる。
【００１１】
また、アンテナ内蔵式電子時計では、無給電素子を用いているので、無給電素子をアンテナ体に電磁的に結合させることで共振周波数を下げてインピーダンス特性を改善することができる。このため、例えばＧＰＳの衛星信号に共振周波数を合わせることにより、ＧＰＳ信号に対する受信性能を向上させることができる。
【００１２】
特に、このアンテナ内蔵式電子時計では、無給電素子をリング部材とカバー部材との間に配置しているため、外装ケースから一定距離離れた位置に無給電素子を配置することができ、外装ケースの導電性部材による無給電素子への影響を低減させることができる。これにより、アンテナ内蔵式電子時計のアンテナ性能を向上させて、電波の受信感度を向上させることができる。
【００１３】
以上より、本発明では、例えば、ＧＰＳにおける衛星信号の受信に用いた場合であっても、外装ケースによる無給電素子への影響を低減させることができるため、アンテナ性能を向上させ、電波の受信感度を向上させるアンテナ内蔵式電子時計を提供することができる。
【００１４】
なお、「非導電性部材」としては、金属以外の素材、例えばセラミックやプラスチックを用いることができる。また、「時刻表示部分」としては時計の文字板が含まれ、この文字板上における時刻表示として、指針による表示や、液晶等のデジタル表示が含まれる。この指針としては、時針や分針、秒針が挙げられる。さらに、「筒状」には、円筒に代表される回転体が含まれる。さらに、「カバー部材」としては、ガラスやプラスティック等の光透過性を有する、例えば透明な素材を用いることができる。また、「環状」には、円形や略四角形が含まれ、一部が開いた開環状（例えばＣ型）や、全部が閉じた閉環状（例えばＯ型、リング状）が含まれる。
【００１５】
また、無給電素子としては、金属等の導電性の部材を用いることができ、例えば、ＳＵＳ板などのリング状の金属板や、板状でなくても銅線のような形状としてもよく、径の異なる弧状の部材を交互に接続して環状に連続させたいわゆるミアンダ形状にして周囲長を長くすることもできる。
【００１６】
このアンテナ内蔵式電子時計において、前記アンテナ体と前記無給電素子とは平面的に重なるように配置されていることが好ましい。この場合には、無給電素子とアンテナ体とが平面的に重ならせることで、給電素子と無給電素子との間隔を最短距離とすることができるため、給電素子と無給電素子との電磁界的な結合を強化し、アンテナ体を介して無給電素子を効率よく駆動することが可能となる。
【００１７】
このアンテナ内蔵式電子時計において、前記無給電素子は前記リング部材の前記カバー部材側の面に設けられていることが好ましい。この場合には、無給電素子をリング部材のカバー部材側の面に設けることで、給電素子と無給電素子との間隔を確保しつつ、無給電素子を外装ケースから離れた位置に配置させて、導電性部材で形成された外装ケースによる影響を低減させることができる。その結果、アンテナ内蔵式電子時計のアンテナ性能を向上させて、電波の受信感度を向上させることが可能となる。
【００１８】
このアンテナ内蔵式電子時計において、前記無給電素子は環状の部材に固着されており、前記環状の部材が前記リング部材の前記カバー部材側の面に設けられていることが好ましい。この場合には、無給電素子は、リング部材に設けられず、環状の部材に固着されているので、そのため、例えば、電子時計のデザインの変更に伴って外装ケースの形状が変化し、その外装ケースの影響によってアンテナ体の同調周波数がズレた場合であっても、環状の部材に固着されている無給電素子を交換することのみで、アンテナ体のアンテナ特性を最適化することができる。このように、無給電素子を別体とすることで、共通のアンテナ体を用いて、様々な電子時計のデザインに対応することができる。
【００１９】
このアンテナ内蔵式電子時計において、前記給電素子は、前記アンテナ体の前記カバー部材側の面に設けられていることが好ましい。この場合には、給電素子と無給電素子との距離との間隔を最短距離とすることができるため、給電素子と無給電素子との電磁界的な結合を強化して、アンテナ体を介して無給電素子を効率よく駆動することが可能となる。
【００２０】
このアンテナ内蔵式電子時計において、例えば、無給電素子の前記カバー部材側の面に固着される環状の目隠し部材を設けるなど、外部から前記無給電素子が視認されないようにすることが好ましい。この場合、無給電素子には、前記カバー部材側の面に環状の目隠し部材が固着されることで、無給電素子が視認されず、電子時計の外観上の違和感を与えることが防止される。
【００２１】
このアンテナ内蔵式電子時計において、導電性部材から形成された裏蓋をさらに備え、前記裏蓋は前記外装ケースに電気的に接続され、前記裏蓋と前記外装ケースが前記アンテナ体のグランドプレーンの機能を有することが好ましい。この場合には、電子時計において、大きな体積及び面積を有する裏蓋と外装ケースのケース胴がグランドプレーンの機能を有することによって、グランド電位が安定し、ひいてはアンテナの良好な受信性能を確保することが可能である。
【００２２】
このアンテナ内蔵式電子時計において、前記外装ケースは、前記カバー部材を固定する非導電性部材からなるベゼル部を備えることが好ましい。この場合には、ベゼル部は非導電性部材で形成されているので、アンテナ体に対して電磁気的な遮蔽物として影響することがない。
【図面の簡単な説明】
【００２３】
【図１】本発明の第１実施形態に係るアンテナ内蔵式電子時計１００（電子時計１００）を含むＧＰＳシステムの全体図である。
【図２】電子時計１００の平面図である。
【図３】（Ａ）は電子時計１００の内部構造を示す一部断面図であり、同図（Ｂ）は、同図（Ｂ）の一部を拡大して示す断面図である。
【図４】電子時計１００の一部の分解斜視図である。
【図５】電子時計１００の回路構成を示すブロック図である。
【図６】本発明の第２実施形態に係るアンテナ内蔵式電子時計２００（電子時計２００）の一部の分解斜視図である。
【図７】本発明の第２実施形態に係るアンテナ内蔵式電子時計２００（電子時計２００）の内部構造の一部を拡大した断面図である。
【図８】本発明の第３実施形態に係るアンテナ内蔵式電子時計３００（電子時計３００）の内部構造の一部を拡大した断面図である。
【図９】本発明の第４実施形態に係るアンテナ内蔵式電子時計４００（電子時計４００）の内部構造の一部を拡大した断面図である。
【発明を実施するための形態】
【００２４】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２５】
［第１実施形態］
図１は、本発明の第１実施形態に係るアンテナ内蔵式電子時計１００（以下「電子時計１００」という）を含むＧＰＳシステムの全体図である。電子時計１００は、ＧＰＳ衛星２０からの電波（無線信号）を受信して内部時刻を修正する腕時計であり、腕に接触する面（以下、「裏面」という）の反対側の面（以下「表面」という）に時刻を表示する。
【００２６】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２７】
以下では、ＧＰＳシステムを衛星測位システムの例として説明するが、ＧＰＳシステムは衛星測位システムの一例である。本発明は、ガリレオ（EU）、GLONASS（ロシア）、北斗（中国）等の全地球的航法衛星システム（GNSS）、SBAS等の静止衛星、又は、準天頂衛星等、時刻情報を含む衛星信号を発信する位置情報衛星を備える、その他の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００２８】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、実際に受信される衛星信号と、既知の各Ｃ／Ａコードのパターンの相関をとることにより、衛星信号に重畳されているＣ／Ａコードを検出することができる。
【００２９】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００３０】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するためのｘ、ｙ、ｚパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００３１】
図２は、電子時計１００の平面図である。図２に示すように、電子時計１００は、円筒状の外装ケース８０を備えている。外装ケース８０は、金属又はその他の導電性材料で形成された円筒状のケース胴８１と、セラミック（ジルコニア、アルミナ等）製、又はその他の非導電性材料で形成されたベゼル部８２とを有し、ベゼル部８２はケース胴８１に嵌め合わせられている。
【００３２】
このベゼル部８２の内側には、環状のダイヤルリング８３が配置され、ダイヤルリング８３の内側には円盤状のダイヤル板１１が配置されている。ダイヤルリング８３には、例えば時刻（時）を示すバータイプのインデックスが３０度おきに設けられ、ダイヤル板１１には、そのようなインデックスは設けられていない。ダイヤルリング８３に示される情報及びダイヤル板１１に示される情報は互いに異なっていればよく、図示の情報には限定されない。
【００３３】
ダイヤル板１１上には、指針軸１２を中心に周回して現在時刻を指し示す指針１３（１３ａ〜１３ｃ）が配置されている。以下では、ダイヤル板１１を時刻表示部分と呼ぶ場合がある。詳細は、詳述するが、外装ケースには、表面側及び裏面側の２つの開口を有している。そして、外装ケース８０の表面側の開口は、ベゼル部８２を介してカバーガラス８４で塞がれており、カバーガラス８４を介して、ダイヤル板１１及び指針１３（１３ａ〜１３ｃ）が視認可能となっている。なお、カバーガラス３４の替わりに、他の透明なカバー部材を用いてもよく、例えば、カバー部材をプラスチックで構成してもよい。
【００３４】
また、電子時計１００は、図１及び図２に示す竜頭１６や操作ボタン１７及び１８を手動操作することにより、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）とに設定できるように構成されている。また、電子時計１００は、時刻情報取得モードや位置情報取得モードを定期的に（自動的に）実行することもできる。
【００３５】
図３（Ａ）は電子時計１００の内部構造を示す一部断面図であり、同図（Ｂ）は、同図（Ｂ）の一部を拡大して示す断面図である。また、図４は電子時計１００の一部の分解斜視図である。図３及び４に示すように、電子時計１００は、外装ケース８０の表面側には、セラミックで形成された環状のベゼル部８２が嵌合されているとともに、ベゼル部８２の内周に沿って、プラスチックで形成された環状のダイヤルリング８３が取り付けられている。
【００３６】
外装ケース８０は、時刻表示部の表示方向である表面側の開口Ｋ１、及び表示方向とは反対方向である裏面側の開口Ｋ２を有する。表面側の開口Ｋ１は、環状のベゼル部８２を介して円盤状のカバーガラス８４で塞がれており、裏面側の開口Ｋ２は、ＳＵＳ（ステンレス鋼）又はＴｉ（チタン）等の金属で形成された裏蓋８５で塞がれている。なお、裏蓋８５とケース胴８１とは、例えばスクリュー溝で固定されている。また、カバーガラス８４は、例えば、パッキンリング（図示せず）を挟み込むことでベゼル部８２に嵌め込まれている。
【００３７】
カバーガラス８４の下側（裏面側）には、図４に示すように、ベゼル部８２の内周に沿って、リング状のダイヤルリング８３が設けられている。ダイヤルリング８３の材料は、酸化チタンなどの高周波で使用可能な誘電材料を樹脂に混ぜることで、比誘電率εｒが５〜２０程度となるように形成されている。また、ダイヤルリング８３の下側には、ケース胴８１の内周よりも内側に、プラスチックなどの非導電性材料で形成された地板３８が設けられている。
【００３８】
これらの地板３８及びダイヤルリング８３と、外装ケース８０の内周とによって、ドーナツ状の収納空間が区画されている。この収納空間には、環状のアンテナ体４０が収納されている。これにより、アンテナ体４０は、ダイヤル板１１の周囲（ダイヤル板１１に垂直な方向から見てダイヤル板と外装ケースとの間）に配置される。したがって、アンテナ体４０の一部は、ベゼル部８２の内周よりも内側に収容され、その上方をダイヤルリング８３で覆われている。さらに、この収納空間には、アンテナ体４０及び地板３８の間に、金属により形成された環状のグランド板９０が収容されている。このグランド板９０は、導通ばね２４を介して、裏蓋８５と電気的に接続されており、裏蓋８５がケース胴８１に固定されているので、ケース胴８１にも電気的に接続されている。なお、グランド板９０はシールド９１にその役割を持たせることができ、無くても構わない。
【００３９】
アンテナ体４０は、図４に示すように、誘電体から形成された環状の基材４０１と、基材４０１に形成されたアンテナパターン（アンテナ素子）４１０とから形成されている。
【００４０】
基材４０１は、酸化チタンなどの高周波で使用可能な誘電材料を樹脂に混ぜることで、比誘電率εｒが５〜２０程度となるように形成されている。この基材４０１は、図３（Ｂ）に示すように、上面Ｔ１、外周面Ｔ２、底面Ｔ３、傾斜面ＴＰ１、及び第２の傾斜面ＴＰ２により囲まれた、５角形の断面形状を有する。この図に示すように、アンテナ体４０のカバーガラス８４側の面である上面Ｔ１には、給電素子４１０が形成されている。
【００４１】
給電素子４１０は、金属又はその他の導電性材料から形成されており、例えばメッキ又は銀ペースト印刷等により基材４０１の上面Ｔ１にパターンを形成することができる。またアンテナ体４０には、金属又はその他の導電性材料から形成された給電部４０２が取り付けられている。具体的に、給電部４０２は、図３（Ｂ）に示すように、基材４０１の傾斜面ＴＰ１、第２の傾斜面ＴＰ２、及び底面Ｔ３に、給電部４０２が形成されている。給電素子４１０は、給電部４０２を介して、給電ピン４４に電気的に接続されている。これによりアンテナ体４０の給電素子４１０には、所定の電位が供給されている。
【００４２】
この給電素子４１０の上部には、断面視で、つまりダイヤル板１１に水平な方向から見て、ダイヤルリング８３とカバーガラス８４との間に、環状の無給電素子４２０が設けられている。さらに、無給電素子４２０の表面側には、外部から無給電素子４２０が視認されないようにする環状の目隠し部材８６が形成されている。
【００４３】
無給電素子４２０は、銀などの金属又はその他の導電性材料からなり、図３（Ｂ）に示すように、給電素子４１０と平面的に重なるように、ダイヤルリング８３のカバーガラス８４側の上面８３ａに設けられている。つまり、ダイヤル板１１に垂直な方向から見たとき（平面視で）、無給電素子４２０と給電素子４１０とが重なっている。この無給電素子４２０は、例えば、銀ペースト印刷、メッキ、又は蒸着等により上面８３ａにパターンを形成することができる。無給電素子４２０は、ダイヤルリングと一体に作ることで位置精度が高まり、アンテナの周波数のバラツキを低減することが出来る。
【００４４】
目隠し部材８６は、プラスチックなどの非導電性材料のシート部材であり、カバーガラス８４の裏面８４ａに接着されている。本実施形態において、目隠し部材８６の表面には、例えば、各国との時差を示す数字が表示されている。
【００４５】
そして、本実施形態において、給電素子４１０及び無給電素子４２０は、互いに電磁的に結合し、電磁波を電流に変換するアンテナ素子として機能して、ＧＰＳ衛星２０からの円偏波を受信する。なお、給電素子４１０及び無給電素子４２０は、電磁界的に結合させるため、間隔があまり離れると結合が弱くなることから、一定の間隔（約５ｍｍ以下）を保つように形成されている。
【００４６】
無給電素子４２０は、図４に示すように、切欠部４２０ａを有し、環の一部を切り欠いたＣ形状に形成されている。また、無給電素子４２０は、位置情報衛星からの１波長の電波（衛星信号）に共振するようなアンテナ長を有している。
【００４７】
一方、給電素子４１０は、図４に示すように、円弧状に形成されており、給電素子４１０の長さを適宜設定することによって、アンテナ体４０に電気的に接続された回路との間においてインピーダンスを整合することが可能となる。本実施形態では、給電素子４１０は、０．２５波長に共振するようなアンテナ長を有している。
【００４８】
なお、ＧＰＳ衛星２０からの電波の周波数は約１．５７５ＧＨｚであり、１波長は約１９ｃｍとなる。円偏波を受信するためには、波長の１．０〜１．２倍程度のアンテナ長が必要であるため、ＧＰＳ衛星２０からの電波を受信するためには、約１９〜２４ｃｍのループアンテナが必要となる。このようなアンテナ長のループアンテナを腕時計の内部に収める場合、腕時計が大型化してしまう。
【００４９】
これに対して、本実施形態では、比誘電率εｒが５〜２０程度の誘電体を基材４０１としてアンテナ体４０を形成している。また、無給電素子４２０が形成されるダイヤルリング８３についても、比誘電率εｒが５〜２０程度の誘電体で形成している。比誘電率εｒの誘電体を用いる場合、当該誘電体による波長短縮率は（εｒ）−１／２となる。つまり、比誘電率がεｒの誘電体を備えることで、アンテナ体の受信する電波の波長を（εｒ）−１／２倍に短縮することができる。本実施形態に係る基材４０１及びダイヤルリング８３は、比誘電率εｒの誘電体を備えるため、誘電体を備えない場合に比べて、アンテナ体４０のアンテナ長を短縮することができ、装置全体の小型化を図ることができる。
【００５０】
また、本実施形態では、無給電素子４２０の切欠部４２０ａの位置と、給電部４０２との位置とが４５度または２２５度になるように配置することで、無給電素子４２０に発生する定在波からの放射と、給電素子４１０からの放射とが合成されて円偏波を効率よく放射することができるようになっている。
【００５１】
また、図３（Ａ）に示すように、アンテナ体４０の内周よりも内側には、光透過性のダイヤル板１１と、光発電を行うソーラーパネル８７と、ダイヤル板１１、ソーラーパネル８７、及び地板３８を貫通する指針軸１２と、並びに指針軸１２を中心に周回して現在時刻を指し示す複数の指針１３（秒針１３ａ、分針１３ｂ、及び時針１３ｃ）とが設けられている。
【００５２】
ソーラーパネル８７は、光エネルギーを電気エネルギー（電力）に変換する複数のソーラーセル（光発電素子）を直列接続した円形の平板である。ソーラーパネル８７は、アンテナ体４０の内周よりも内側で、地板３８とダイヤル板１１との間に配置されている。ソーラーパネル８７の中央部には、指針軸１２が貫通する穴が形成されている。
【００５３】
指針軸１２は、外装ケース８０の中心軸線に沿って表裏方向に延在している。ダイヤル板１１は、円形の板材であり、プラスチックなどの光透過性の非導電性材料で形成されている。図３（Ａ）に示すように、ダイヤル板１１は、カバーガラス８４及び地板３８の間に配置されている。ダイヤル板１１の中央部には、指針軸１２が貫通する穴が形成されている。指針１３は、アンテナ体４０の内周よりも内側で、且つ、カバーガラス８４及びダイヤル板１１の間に配置されている。
【００５４】
地板３８の下側（裏面側）には、図３（Ａ）に示すように、指針軸１２を回転させて複数の指針１３を駆動する駆動機構（駆動部）３０が取り付けられている。駆動機構３０は、ステップモーターＭと歯車等の輪列とを有し、当該ステップモーターＭが当該輪列を介して指針軸１２を回転させることにより、複数の指針１３を駆動する。具体的には、駆動機構３０は、時針１３ｃが指針軸１２の周りを１２時間で１周し、分針１３ｂが６０分で一周し、秒針１３ａが６０秒で一周するように、指針軸１２を回転させる。
【００５５】
また電子時計１００は、外装ケース８０の内側に、基板２５を備える。基板２５は、樹脂又はその他の誘電体を含む素材で形成され、駆動機構３０の下側（つまり、駆動機構３０及び裏蓋８５の間）に配置されている。基板２５の下面（裏側の面）には、ＧＰＳ受信部（無線受信部）２６及び制御部７０等を含む回路ブロックが実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００５６】
基板２５の上側には、金属又はその他の導電性材料から形成された給電ピン４４が設けられている。給電ピン４４は、スプリングを内蔵した金属で形成されたピン状のコネクタであり、回路基板２５上に突設されて、地板３８に開口された挿通孔３８ｂを貫通されて、回路基板２５とアンテナ体４０とを接続する。したがって、アンテナ体４０の給電部４０２は、給電ピン４４を介して基板２５（厳密には、基板２５上に設けられた配線）に電気的に接続され、基板２５から所定の電位が給電素子４１０及び無給電素子４２０に供給されている。
【００５７】
ＧＰＳ受信部２６及び制御部７０を含む回路ブロックは、導電性材料により形成されたシールド９１により覆われている。シールド９１は、回路押え３９、裏蓋８５、及びケース胴８１を介して、グランド板９０と電気的に接続されている。また、シールド９１には、回路ブロックのグランド電位が供給されている。すなわち、シールド９１、裏蓋８５、ケース胴８１、及びグランド板９０の電位は、回路ブロックのグランド電位に保たれており、グランドプレーンとして機能している。
【００５８】
駆動機構３０と地板３８との間には、耐磁板Ｓ１及びＳ２が設けられ、駆動機構３０と基板２５との間には、耐磁板Ｓ３が設けられている。以下では、耐磁板Ｓ１及びＳ２を第１耐磁板と総称し、耐磁板Ｓ３を第２耐磁板と総称する場合がある。これら耐磁板Ｓ１〜Ｓ３は、純鉄等の高い透磁率を有する導電性材料から形成される。
【００５９】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、ケース胴８１、裏蓋８５等の金属は、磁化された場合に磁界を発生させる。さらには、基板２５に設けられた回路ブロックも、磁界を発生させることがある。
【００６０】
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００６１】
また電子時計１００は、外装ケース８０の内側に、リチウムイオン電池などの円柱形状の二次電池２７、及び当該二次電池２７を収納するための電池収納部２８を備える。二次電池２７は、ソーラーパネル８７が発電した電力で充電される。この二次電池２７を収納するための電池収納部２８は、基板２５の下側（つまり、基板２５及び裏蓋８５の間）に配置されている。
【００６２】
外装ケース８０の外側には、竜頭１６と、操作ボタン１７及び１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（又は１８）を押下することで生じる操作ボタン１７（又は１８）の動きは、外装ケース８０を貫通するボタン軸を介して、図示省略されたスイッチに伝達される。そして、当該スイッチは、操作ボタン１７（又は１８）からの圧力を電気的な信号に変換して、制御部７０に伝達する。
【００６３】
図５は、電子時計１００の回路構成を示すブロック図である。図５に示すように、電子時計１００は、ＧＰＳ受信部２６及び制御表示部３６を含んで構成されている。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００６４】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００６５】
また電子時計１００は、アンテナ体４０、バラン１０、及びＳＡＷ（Surface Acoustic Wave：表面弾性波）フィルタ３２を含む。アンテナ体４０は、図１で説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００６６】
また、ＧＰＳ受信部２６は、ＲＦ（Radio Frequency：無線周波数）部５０とベースバンド部６０を含んで構成されている。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００６７】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含んで構成されている。
【００６８】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００６９】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００７０】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリ６６等が接続されている。
【００７１】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００７２】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００７３】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００７４】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。
【００７５】
そして、ベースバンド部６０は、衛星情報に基づいて、内部時刻情報を修正するために必要な時刻修正情報を生成する。時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００７６】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
【００７７】
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００７８】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。また、ベースバンド部６０に設けられたＲＴＣ６４は、ＧＰＳ衛星２０の衛星情報を受信中にのみ動作し、ＧＰＳ時刻情報を保持する。
【００７９】
制御表示部３６は、制御部７０、駆動回路７４及び水晶振動子７３を含んで構成されている。
制御部７０は、記憶部７１、ＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針の駆動を制御する。
【００８０】
記憶部７１には内部時刻情報が記憶されている。ＲＴＣ７２は、常時動作し、時刻表示のための内部時刻を計時し内部時刻情報を生成する。内部時刻情報は、電子時計１００の内部で計時される時刻の情報であり、水晶振動子７３によって生成される基準クロック信号によって更新される。したがって、ＧＰＳ受信部２６への電力供給が停止されていても、内部時刻情報を更新して指針の運針を継続することができるようになっている。
【００８１】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００８２】
以上説明したように、電子時計１００では、無給電素子４２０を用いているので、給電素子４１０に電流が流れると、電流が誘起され、無給電素子４２０はアンテナ体４０と電磁界的に結合され、共振周波数を下げてインピーダンス特性を改善することができる。このため、ＧＰＳの衛星信号に共振周波数を合わせることにより、ＧＰＳ信号に対する受信性能を向上させることができる。
【００８３】
特に、本実施形態では、無給電素子４２０をダイヤルリング８３とカバーガラス８４との間に配置することで、無給電素子４２０をケース胴８１から離れた距離に位置させている。詳しくは、給電素子４１０を基材４０１の上面Ｔ１に配置するとともに、無給電素子４２０をダイヤルリング８３の上面８３ａに配置して、給電素子４１０とは平面的に重なるように配置している。これにより、給電素子４１０と無給電素子４２０とが電磁界的に結合される間隔を確保しつつ、無給電素子４２０をケース胴８１から離れた位置に配置させて、導電性部材で形成されたケース胴８１による影響を低減させることができる。その結果、電子時計１００のアンテナ性能を向上させて、電波の受信感度を向上させることが可能となる。なお、無給電素子をダイヤルリング上に配置することで天頂方向のアンテナ利得で１．５ｄＢの向上が確認されている。
【００８４】
さらに、本実施形態のように、Ｃ型の無給電素子４２０と円弧状の給電素子４１０からなるアンテナ構成は、切断位置（角度）、エレメント長という調整個所が多いため、様々な電子時計のケースに合わせて最適なアンテナ性能を得るためのアンテナエレメント調整の自由度が、素子一体型に比べて大きいという利点がある。
【００８５】
また、無給電素子４２０のカバーガラス８４側の面には、無給電素子４２０が視認されないようにする環状の目隠し部材８６が形成されているので、無給電素子４２０が外部から視認されず、電子時計の外観上の違和感を与えることが防止される。
【００８６】
また、外装ケース８０の二つの開口のうち、ダイヤル板１１の表示方向と反対側の開口を塞ぐ金属製の裏蓋８５を備え、裏蓋８５はケース胴８１に電気的に接続され、大きな体積及び面積を有する裏蓋８５とケース胴８１がアンテナ体４０のグランドプレーンの機能を有している。このようにアンテナ体４０より下側に位置する部材をアンテナのグランドプレーンとして利用する構造にすることで、裏蓋８５による反射により、時計表面における法線方向の放射が大きくなり、極めて高い受信性能が得られる。
【００８７】
またケース胴８１、裏蓋８５が金属なので装着時の腕の影響で、インピーダンスマッチングがズレることも少なく、装着、非装着でのアンテナの特性差がほとんどなく、安定した受信をすることができる。すなわち、ケース胴８１、裏蓋８５をプラスチックケースで形成させると、外観の高級感が乏しいだけでなく、腕の影響を受けて、装着、非装着でアンテナのインピーダンスが変化して、装着、非装着で性能差が出てしまいアンテナ性能的に好ましくない。
【００８８】
また、カバーガラス８４を固定し、ケース胴８１に係合する非導電性部材からなるベゼル部８２を有しているので、アンテナ体４０に対して電磁気的な遮蔽物として影響することを防止して、高い受信性能が得られる。
【００８９】
［第２実施形態］
図６は、本発明の第２実施形態に係るアンテナ内蔵式電子時計２００（電子時計２００）の一部分解図であり、図７は、本発明の第２実施形態に係るアンテナ内蔵式電子時計２００（電子時計２００）の内部構造の一部を拡大した断面図である。本実施形態における電子時計２００は、無給電素子をダイヤルリング８３とは別体で形成させた点で電子時計１００と相違する。なお、その他の点は第１実施形態と同様であるので、説明を省略する。
【００９０】
具体的には、図６に示すように、無給電素子４２１は、ポリイミドなどの弾性を有する環状のフレキシブル基板４２２上に固着させる。本実施形態において、無給電素子４２１は、銅箔パターンで構成することができる。フレキシブル基板４２２は、ダイヤルリング８３のカバーガラス８４側の上面８３ａに配置させて接着させる。さらに、この無給電素子４２１のカバーガラス８４側の面には、プラスチック又はその他の非導電性部材である目隠し部材８６ａが配置されており、目隠し部材８６ａは、図８に示すように、無給電素子４２１と接着される。なおフレキシブル基板４２２は、ステンレス板の金属部材をプレス等で抜いた板状部材を用いてもよい。
【００９１】
このような電子時計２００によれば、電子時計１００と同様の効果が得られる。さらなる効果としては、無給電素子４２１は、ダイヤルリング８３とは別体で形成させているので、例えば、電子時計２００のデザインの変更に伴って外装ケース８０の形状が変化し、その外装ケース８０の影響によってアンテナ体４０の同調周波数がズレた場合であっても、フレキシブル基板４２２に固着されている無給電素子４２１を交換することのみで、アンテナ体４０のアンテナ特性を最適化することができる。このように、本実施形態によれば、無給電素子４２１を別体とすることで、共通のアンテナ体４０を用いて、様々な電子時計２００のデザインに対応することができる。
【００９２】
［第３実施形態］
図８は、本発明の第３実施形態に係るアンテナ内蔵式電子時計３００（電子時計３００）の内部構造の一部を拡大した断面図である。本実施形態における電子時計３００は、無給電素子をカバーガラス８４のリングアンテナ側の面に配置されて点で電子時計１００と相違する。なお、その他の点は第１実施形態と同様であるので、説明を省略する。
【００９３】
具体的には、図８に示すように、無給電素子４２３は、カバーガラス８４のダイヤルリング８３側の裏面８４ａに配置されている。この際、無給電素子４２３とカバーガラス８４とは、目隠し部材８６を介して固着される。
【００９４】
この場合、電子時計１００と同様の効果が得られる。さらに、無給電素子４２３は、ダイヤルリング８３に固着されていないので、例えば、電子時計３００のデザインの変更に伴って外装ケース８０の形状が変化した場合であっても、形状の変化に伴い交換するカバーガラス８４に固着されている無給電素子４２３を交換することのみで、アンテナ体４０のアンテナ特性を最適化することができる。このように、本実施形態によれば、無給電素子４２３をカバーガラス８４に固着させることで、共通のアンテナ体４０を用いて、様々な電子時計２００のデザインに対応することができる。
【００９５】
［第４実施形態］
図９は、本発明の第４実施形態に係るアンテナ内蔵式電子時計４００（電子時計４００）の内部構造の一部を拡大した断面図である。電子時計４００は、無給電素子をカバーガラス８４とベゼル部８２との間に配置させる点で、他の電子時計１００〜３００と相違する。なお、その他の点は第１〜３実施形態と同様であるので、説明を省略する。
【００９６】
具体的には、図９に示すように、無給電素子４２４をカバーガラス８４とベゼル部８２との間に配置させて、無給電素子４２４を介して、ベゼル部８２とカバーガラス８４とが嵌合されるようになっている。この場合には、各電子時計１００〜３００と同様の効果が得られる。さらには、目隠し部材８６が不要となり、部品点数を減らし、製造工程を簡略化することができる。
【００９７】
［変更例］
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。また、次に述べる各態様は、任意に選択された一又は複数を、適宜に組み合わせることもできる。
【００９８】
例えば、上述した各実施形態において、給電素子４１０は、アンテナ体４０の上面Ｔ１に設けられたが、本発明は、これに限定するものではなく、給電素子の位置は、無給電素子との電磁結合量に応じてインピーダンス調整できる位置に配置されればよく、例えば、テーパー面ＴＰ１に設けられてもよい。
【００９９】
また、上記の実施形態では、アンテナ体は円環状であるが、正方形又はその他の形状からなる環状であってもよい。例えば、アンテナ体の内側にデジタル表示式の情報表示部分が配置された角型の腕時計には正方形環状のアンテナ体が好適である。
【０１００】
なお、各実施形態において、ベゼル部８２は、非導電性部材で形成させたが、金属製部材によって形成させてもよい。この場合であっても、本発明のように無給電素子４２０をダイヤルリング８３上に配置することで、受信感度の影響は少なくＧＰＳ衛星の電波を良好に受信することができる。また、金属製部材を用いることより、例えば、セラミック製部材を用いた場合と比較して、コストを低減させることができる。また、金属で覆われた部分が増えるため、無給電素子をダイヤルリングとカバーガラスとの間に配置した場合のアンテナ特性の改善効果がさらに大きくなる。
【０１０１】
以上より、本発明によれば、例えば、ＧＰＳにおける衛星信号の受信に用いた場合であっても、無給電素子４２０を用いることによって、受信性能を維持しつつ、より有効にアンテナ体４０を小型化できる。
【符号の説明】
【０１０２】
１００，２００，３００，４００…アンテナ内蔵式電子時計、４０…アンテナ体、１１…文字板、１２…指針軸、１３（１３ａ，１３ｂ，１３ｃ）…指針、２６…ＧＰＳ受信部、３０…駆動機構、８０…外装ケース、８１…ベゼル部、４１０…給電素子、４２０，４２１，４２２，４２３，４２４…無給電素子、８３…ダイヤルリング、８４…カバーガラス、８５…裏蓋、８７…ソーラーパネル。
【図１】
2014163666.tif 000003
【図２】
2014163666.tif 000004
【図３】
2014163666.tif 000005
【図４】
2014163666.tif 000006
【図５】
2014163666.tif 000007
【図６】
2014163666.tif 000008
【図７】
2014163666.tif 000009
【図８】
2014163666.tif 000010
【図９】
2014163666.tif 000011